(57)【特許請求の範囲】
【請求項１】
洗い場の浴室壁に設けたカウンターの下部にシャンプーなどのボトルを洗い場側且つ斜め上方に向けて収納可能にする収納部を設け、収納部の下部の下面を洗い場床面と間隔を隔てて位置させると共に洗い場側且つ斜め上方に向けて傾斜させて形成したものであって、カウンターの上面を構成する上面板部とカウンターの前面を構成する前面板部とからなるカウンター部材を備え、浴室壁に取付けた固定具に前記上面板部を載置してカウンター部材を固定具に取付け、洗い場側ほど高位置に位置するように傾斜して前記前面板部の下端と固定具の下端との間を目隠しする目隠し板を備え、該目隠し板が前記収納部の上部を構成することを特徴とする浴室の収納構造。
【請求項２】
収納部の下部の前端部に補強部を設けたことを特徴とする請求項１記載の浴室の収納構造。
【請求項３】
収納部の下部の上面に、ボトルの側面が挿入されてボトルの収納位置が規制されるボトル保持部を形成したことを特徴とする請求項１または２に記載の浴室の収納構造。
【請求項４】
収納部の最低位置に水抜き孔を穿設したことを特徴とする請求項１乃至３のいずれかに記載の浴室の収納構造。
【発明の詳細な説明】
【技術分野】
【０００１】
本発明は、浴室の収納構造に関するものである。
【背景技術】
【０００２】
一般に、浴室には洗い場に面した浴室壁からカウンターが突設されている。このカウンターの正面にはカランが設けられ、給水管や給湯管がカウンターの内部に収納されてカウンターの正面のカランに接続させている。洗い場で入浴者が髪の毛や身体を洗う際にシャンプー等をすぐに手に取って使用することを期して、カウンターの上面にはしばしばシャンプー等のボトルが置かれたりする。しかしながら、シャンプー、リンス、ボディーソープなど洗い場で入浴者が使用する剤の種類は多く、また入浴者が個別に使用する剤もあり、多数のボトルがカウンターの上面に置かれると、浴室の外観が煩雑になってすっきりとした見栄えのよい外観を得ることはできない。そこで従来では、カウンターの上面に開口せる収納凹所をカウンターの内部に形成し、この収納凹所にシャンプー等のボトルを収納することが提案されている（たとえば特許文献１参照）。
【０００３】
しかしながら、カウンターの内部には上述のように給水管や給湯管が収納されることから、カウンターの内部に広い収納凹所を形成させて収納スペースを広く採ることはできないといった問題があった。また、収納凹所に収納したボトルの剤出口はカウンターの上方に位置するものであるから、洗い場で洗髪等を行う際にカウンターの比較的近い位置に入浴者が位置しないと、そのまま手を伸ばしてもボトルの剤出口に届かなかったりする。入浴者がカウンターの比較的近い位置に位置することは洗髪等を行うスペースを広く採ることができないものであって使い勝手が悪いといった問題があった。
【特許文献１】特開２００１−３５３０９２号公報
【発明の開示】
【発明が解決しようとする課題】
【０００４】
本発明は上記の従来の問題点に鑑みて為したものであって、シャンプー等のボトルを収納する収納スペースを広くとることができ、しかも、洗い場のカウンターから離れた広いスペースで洗髪を行う際にも上記収納されたボトルを良好な使い勝手で使用することができると共に、髭剃り作業等で入浴者がカウンターに近接位置する場合にも足先をカウンター下に入れることができて支障のない浴室の収納構造を提供することを課題とするものである。
【課題を解決するための手段】
【０００５】
上記課題を解決するために本発明の請求項１に係る浴室の収納構造は、洗い場１の浴室壁２に設けたカウンター３の下部にシャンプーなどのボトルＢを洗い場１側且つ斜め上方に向けて収納可能にする収納部４を設け、収納部４の下部４ａの下面４ａ１を洗い場床面１ａと間隔を隔てて位置させると共に洗い場１側且つ斜め上方に向けて傾斜させて形成したものであって、カウンター３の上面を構成する上面板部１１とカウンター３の前面を構成する前面板部１２とからなるカウンター部材１０を備え、浴室壁２に取付けた固定具１３に前記上面板部１１を載置してカウンター部材１０を固定具１３に取付け、洗い場１側ほど高位置に位置するように傾斜して前記前面板部１２の下端と固定具１３の下端との間を目隠しする目隠し板１６を備え、該目隠し板１６が前記収納部４の上部４ｂを構成したことを特徴とする。これによると、シャンプーなどのボトルＢを収納可能にする収納部４をデッドスペースとなっていたカウンター３の下部に広い収納スペースを確保して設けることができ、また、収納部４に洗い場１側且つ斜め上方に向けて収納したボトルＢは洗い場１側からボトルＢ上部のポンプを操作できてカウンター３に近接しないで洗髪作業を行う入浴者にとっても使い勝手が良く、また、収納部４の下部４ａの下面４ａ１を洗い場床面１ａと間隔を隔てて位置させると共に洗い場１側且つ斜め上方に向けて傾斜させ、つまり洗い場１側に向けて広く開口するスペースを収納部４の下部４ａの下面４ａ１と洗い場床面１ａとの間に形成したので、上記スペースには髭剃り作業等でカウンター３に近接位置した入浴者の足先を入れ易くでき、つまり入浴者は支障なくカウンター３に近接位置することもできて浴室の良好な使い勝手を確保することもできる。
【０００６】
また、請求項２に係る浴室の収納構造は、請求項１において、収納部４の下部４ａの前端部に厚肉にした補強部５を設けたことを特徴とする。これによると、収納部４にボトルＢを出し入れする際や、上記収納部４の下部４ａの下面４ａ１と洗い場床面１ａとの間に形成したスペースに足先を出し入れする際に、ボトルＢや足先を収納部４の下部４ａの前端部にぶつけることがあっても、収納部４の下部４ａの前端部に設けた補強部５によって、収納部４が変形したり破損したりすることを防止できる。
【０００７】
また、請求項３に係る浴室の収納構造は、請求項１または請求項２において、収納部４の下部４ａの上面４ａ２に、ボトルＢの側面Ｂ１が挿入されてボトルＢの収納位置が規制されるボトル保持部６を形成したことを特徴とする。これによると、収納部４に収納したボトルＢはその側面Ｂ１をボトル保持部６に挿入させて収納部４内で任意に動き回らないようにして収納部４内の所定位置に収納でき、良好な使い勝手を確保できる。
【０００８】
また、請求項４に係る浴室の収納構造は、請求項１乃至請求項３のいずれかにおいて、収納部４の最低位置に水抜き孔７を穿設したことを特徴とする。これによると、洗い場１側から収納部４に流れ込んだ水を水抜き孔７から抜くことができて、収納部４に水が溜まることを防止できる。
【発明の効果】
【０００９】
本発明は、シャンプーなどのボトルを収納可能にする収納部をデッドスペースとなっていたカウンターの下部に広い収納スペースを確保して設けることができるという利点、カウンターに近接しないで洗髪作業を行う入浴者にとってもボトルを良好な使い勝手で使用できるという利点、入浴者が支障なくカウンターに近接位置できるという利点を有する。
【発明を実施するための最良の形態】
【００１０】
以下、本発明を添付図面に示す実施形態に基いて説明する。
【００１１】
図１乃至図３には本発明の実施の形態の例を示す。洗い場１に面する浴室壁２（２ａ）にはカウンター３が突設されている。本例では、カウンター３は、浴槽２３と浴槽２３に洗い場１を介して対向する浴室壁２ｂとの間に亙るように設けられており、入浴者が跨ぐことが可能な浴槽２３の上面２３ａよりも多少低い位置にその上面位置が位置するように形成されている。詳しくは、カウンター３は、カウンター３の上面を構成する上面板部１１とカウンター３の前面を構成する前面板部１２とからなる断面Ｌ字状の長尺のカウンター部材１０を、浴室壁２に固定した金属製の固定具１３に取付けることで形成されている。固定具１３は、浴室壁２に沿わせて固定させる略垂直に延びる壁取付部１４と、壁取付部１４の上端から前方に略水平に突出するカウンター部材取付部１５とでＬ字状に形成されている。カウンター部材取付部１５にはカウンター部材１０の上面板部１１が載置されて取付けられている。カウンター３の前面には、洗い場１で使用する浴水を吐出するカラン８が前方に突出するように配設されている。カウンター３の内部には、カラン８に接続する給湯管や給水管等の配管９が収納、配設されている。詳しくは、給湯管や給水管等の配管９は建物側からカウンター３の内部に引き込まれてその先端がカウンター部材１０の前面板部１２を貫いてカラン８に接続されている。ここで、固定具１３の壁取付部１４の上下寸法は固定具１３の剛性強度を高めてカウンター３の耐荷重性を向上させるために長く形成され、またカウンター３の前面板部１２の上下寸法は固定具１３のカウンター部材取付部１５にカウンター部材１０の上面部を下方からビス等の固着具を打入させて容易に取付けるために短く形成されている。本例のカウンター３では、カウンター部材１０の前面板部１２の下端と固定具１３の壁取付部１４の下端との間に、目隠し板１６が架設されてカウンター３の内部が目隠しされている。詳しくは、カウンター部材１０の前面板部１２の下端は固定具１３の壁取付部１４の下端よりも上方位置に位置しており、カウンター部材１０の前面板部１２の下端と固定具１３の壁取付部１４の下端との間に架設した目隠し板１６は、洗い場１側ほど高位置に位置するように傾斜して配置されている。
【００１２】
上記構成のカウンター３の下部には、シャンプーなどのボトルＢを洗い場１側且つ斜め上方に向けて収納可能にする凹所状の収納部４を設けている。本例では、収納部４はカウンター３の長手方向に亙って設けられて凹溝状に形成されている。詳しくは、収納部４は、浴室壁２に固定される壁固定部１８と壁固定部１８の下端から洗い場１側且つ斜め上方に向けて突設した板状の載置部１９とでなる長尺の収納部形成部材１７によって形成されている。上記収納部形成部材１７は樹脂材やアルミニウムなどの金属材の押出し成形にて製造されている。本例の壁固定部１８は、浴室壁２に沿わせてビス等の固着具２０にて固定される裏面１８ａが略垂直に形成され、前面１８ｂが洗い場１側且つ斜め上方に向けて面するように形成され、裏面１８ａと前面１８ｂとの下端同士が略水平な下面１８ｃで連結された下方ほど前方に突出する断面三角形状に形成されている。また、載置部１９は、壁固定部１８の前面１８ｂと略直交する方向（すなわち洗い場１側且つ斜め上方）に向けて壁固定部１８から延出するように形成されている。この収納部形成部材１７をカウンター３の下部に固定した際に、略平行に対向した収納部形成部材１７の載置部１９とカウンター３の目隠し板１６との間の空間が収納部４を構成している。すなわち、収納部４は洗い場１側且つ斜め上方に向けて開口すると共に浴室壁２側ほど下方に落ち込むように傾斜した凹所であって、カウンター３の下部に沿って配設されている。なお、収納部４の上部４ｂはカウンター３の目隠し板１６が構成し、収納部４の下部４ａは収納部形成部材１７の載置部１９が構成し、収納部４の奥部４ｃは収納部形成部材１７の壁固定部１８の前面１８ａにて構成されている。また、収納部４の下部４ａの下面４ａ１は載置部１９の下面１９ａにて構成され、収納部４の下部４ａの上面４ａ２は載置部１９の上面１９ｂにて構成されている。ボトルＢは、その底面Ｂ２が収納部４の奥部４ｃに接地されると共にその側面Ｂ１が収納部４の下部４ａの上面４ａ２に載置されて収納部４に収納されるのであって、つまり、収納部４にはボトルＢが洗い場１側且つ斜め上方に向けて収納可能にされているのである。
【００１３】
このように、シャンプーなどのボトルＢを収納可能にする収納部４をカウンター３の下部に設けている。カウンター３の下部は従来デッドスペースとなっていた空所であるから、収納部４を本例のようにカウンター３の長手方向に亙って設けたりと、ボトルＢを収納するための収納スペースを広く確保することができる。したがって、シャンプー、リンス、ボディーソープなど洗い場１で入浴者が使用する剤の入った多数のボトルＢを収納することができ、浴室の外観にすっきりとした良好な外観を現出できたものである。
【００１４】
また、収納部４に洗い場１側且つ斜め上方に向けて収納したボトルＢは、収納状態のままでも入浴者によって洗い場１側からボトルＢの上部に設けたポンプ操作部Ｂ３を操作できたりし、つまり、洗髪作業等を行う入浴者は洗い場１側から洗髪作業等に用いるボトルＢを良好に使用することができる。無論、入浴者は洗い場１側から収納部４に収納したボトルＢを容易に引き抜いて使用することもできる。したがって、洗髪作業等を行う入浴者はカウンター３の近傍位置に位置しないでもボトルＢを良好に使用し易いのであり、入浴者はカウンター３に近接する窮屈な空間で洗髪作業等を強いられることがなくて浴室の使い勝手が向上できたものである。なお、本例では収納部４の下部４ａの前端位置はカウンター３の前面と略面一になるように位置されており、つまり収納部４の開口４ｄはカウンター３の前面の真下位置に位置している。また、収納部４は収納したボトルＢの上部に設けたポンプ操作部Ｂ３がカウンター３の前面よりも洗い場１側に突出するような寸法関係に形成されている。したがって、収納部４に収納したボトルＢの使い勝手、ひいては浴室の使い勝手が更に高められている。
【００１５】
ところで、カウンター３の上方の浴室壁２にはしばしば鏡が配置されるのであって、入浴者の入浴作業には、上記鏡を見ながらの髭剃り作業等、カウンター３に近接位置して行うに適した浴室の使用形態もある。ここで、収納部４の下部４ａの下面４ａ１は、洗い場床面１ａと間隔を隔てて位置されると共に、洗い場１側且つ斜め上方に向けて傾斜させて形成されている。つまり、収納部４の下部４ａの下面４ａ１と洗い場床面１ａとの間には洗い場１側に向けて広く開口するスペースが形成されている。したがって、入浴者がカウンター３に近接位置した場合に入浴者の足先が上記スペースに入れ易くなっており、つまり入浴者は支障なくカウンター３に近接位置できるものであって、この点でも浴室の良好な使い勝手が確保できたものである。
【００１６】
また、収納部４の下部４ａの前端部には厚肉にした補強部５が設けられている。詳しくは、補強部５は前方ほど厚肉になると共に下面が略水平になる断面三角形状に形成されている。これにより、収納部４にボトルＢを出し入れする際や、上記収納部４の下部４ａにの下面４ａ１と洗い場床面１ａとの間に形成したスペースに足先を出し入れする際に、ボトルＢや足先を収納部４の下部４ａの前端部にぶつけることがあっても、収納部４の下部４ａの前端部に設けた補強部５によって収納部４が変形したり破損したりすることが有効に防止されている。
【００１７】
また、収納部４の最低位置には水抜き孔７が穿設されている。本例では、収納部４の最低位置は収納部形成部材１７の壁固定部１８の前面１８ａの下端とコーナー部を形成する載置部１９の後端部１９ｃであって、この載置部１９の後端部１９ｃに図３のように、収納部形成部材１７の長手方向に長い長孔状の水抜き孔７が上記長手方向の所定間隔毎に多数穿設されている。これにより、洗い場１側から収納部４に流れ込んだ水を水抜き孔７から抜くことができて、収納部４に水が溜まることが防止されている。
【００１８】
また、収納部形成部材１７を浴室壁２に固定するための固着具２０は、収納部形成部材１７の壁固定部１８を前方から貫通して浴室壁２に打入することで収納部形成部材１７を浴室壁２に固定させているが、水がかかったり流れたりしにくい収納部４の奥部４ｃの上端位置で収納部形成部材１７の浴室壁２への固定を行わせている。この収納部４の奥部４ｃの上端位置の高さ位置は収納部４の開口４ｄの範囲内に位置されており、略水平に打入する固着具２０の打入作業が収納部４の開口４ｄから行い易くされている。
【００１９】
また、図４には本発明の実施の形態の他例を示す。先例と同様部位は同符合を付して説明を省き、異なる点のみにつき説明する。本例の収納部形成部材１７には、載置部１９、壁固定部１８に加えて先例のカウンター３の目隠し板１６に相当する目隠し部２１を一体に形成してある。つまり、本例では先例と比べ、別体のカウンター３の目隠し板１６が必要無いことから、部材点数を抑えて構成を簡略化できたものである。また、載置部１９の下端と壁固定部１８の下端との間に収納部４の最低位置に位置する溝部２２が形成されており、この溝部２２に水抜き孔７が穿設されている。
【００２０】
詳しくは、本例の収納部形成部材１７は、壁固定部１８が浴室壁２に沿う略垂直の板状に形成されており、壁固定部１８の上端から板状の目隠し部２１が洗い場１側且つ斜め上方に向けて突設されており、壁固定部１８の下端から略水平前方に板状の溝底部２２ａが突設され、溝底部２２ａの前端から略垂直に立ち上がる板状の溝側部２２ｂが突設され、溝側部２２ｂの上端から板状の載置部１９が洗い場１側且つ斜め上方に向けて突設されて形成されている。略平行に対向した目隠し部２１と載置部１９との間の空間が収納部４を構成しており、溝底部２２ａと溝側部２２ｂと壁固定部１８の下端部で囲まれた部位が溝部２２を構成しており、水抜き孔７は溝底部２２ａを上下に貫通させて形成されている。そして、この収納部形成部材１７は、目隠し部２１の前端に設けたフック状の引掛部２１ａをカウンター部材１０の前面板部１２の下端に設けた被引掛部１２ａに引っ掛けて係止させると共に、壁固定部１８を浴室壁２に沿わせてビス等の固着具（図示せず）にて固定させることで、カウンター３の下部に取付けるようになっている。
【００２１】
また、図５には本発明の実施の形態の更に他例を示す。本例は、収納部４の下部４ａの上面４ａ２に、ボトルＢの側面Ｂ１が挿入されてボトルＢの収納位置が規制されるボトル保持部６を形成した例である。詳しくは、収納部４に収納したボトルＢの側面Ｂ１が載置される収納部形成部材１７の載置部１９の上面１９ｂに、収納部形成部材１７の長手方向の任意位置にボトル保持部６が形成されている。本例のボトル保持部６は、載置部１９を薄肉にするように載置部１９の上面１９ｂを下方に凹ませたような凹曲面状の断面を有し、載置部１９の前後方向に亙って形成した長い溝６ａによって構成されているが、たとえば載置部１９の前後方向に亙って形成した長孔でも構成できる。これによると、収納部４に収納したボトルＢはその側面Ｂ１をボトル保持部６に挿入させて収納部４内で任意に動き回らないようにでき、つまり、ボトルＢを収納部４内の所定位置に位置決めした状態で収納できることから良好な使い勝手を確保できたものである。なお、本例は先の実施の形態の諸例のいずれにも適用できるのは言うまでもない。また、上記溝６ａで構成されたボトル保持部６の溝底部分は前後方向の同位置における載置部１９の上面１９ｂよりも下方に位置する位置関係を有しているから、洗い場１側から収納部４に流れ込んだ水は溝状のボトル保持部６の溝底部分を通って流れ易いものであり、しかして、上記溝６ａで構成されたボトル保持部６の後端部分に水抜き孔７を穿設しておけば、上記洗い場１側から収納部４に流れ込んだ水をスムーズに収納部４外に排出することができて好ましいものである。
【図面の簡単な説明】
【００２２】
【図１】本発明の実施の形態の例の側断面図である。
【図２】同上の斜視図である。
【図３】同上の収納部形成部材の斜視図である。
【図４】本発明の実施の形態の他例の概略側断面図である。
【図５】本発明の実施の形態の更に他例の収納部形成部材の斜視図である。
【符号の説明】
【００２３】
１  洗い場
１ａ  洗い場床面
２  浴室壁
３  カウンター
４  収納部
４ａ  下部
４ａ１  下面
５  補強部
６  ボトル保持部
７  水抜き孔
１７  収納部形成部材
Ｂ  ボトル
Ｂ１  側面
【図１】
0004473204.tif 000002
【図２】
0004473204.tif 000003
【図３】
0004473204.tif 000004
【図４】
0004473204.tif 000005
【図５】
0004473204.tif 000006